(57)【特許請求の範囲】
【請求項１】
ネットワークを介して接続されたクライアント端末に複数のウェブページを有するウェブサイトを提供し、前記クライアント端末の前記ウェブサイトへのアクセス状態に応じて懸賞処理を実施する懸賞サービス提供装置であって、
前記クライアント端末から前記複数のウェブページのうちの一つを要求する旨のページ要求を受信する要求受信部と、
抽選処理と当選表示処理とを含む前記懸賞処理を実施する懸賞処理部と、
前記懸賞処理部での前記懸賞処理の結果に基づいて広告表示を有する前記ウェブページを作成するページ作成部と、
前記ページ作成部が作成した前記ウェブページを前記クライアント端末に送信するページ送信部と、
パスワードを含むユーザに関する情報をユーザＩＤに関連付けて記録するユーザ情報データベースと、
前記ユーザの前記ウェブサイトへのログイン状態を判定するログイン判定部と、
を備え、
前記懸賞処理部は、
前記抽選処理における当選確率を決定する当選確率決定部と、
前記クライアント端末が前記複数のウェブページのうちの１つにアクセスした際に、前記当選確率決定部が決定した前記当選確率で当選判定を出力する前記抽選処理を実施する抽選処理部と、
前記抽選処理部が前記当選判定を出力した場合に、前記ウェブページに含まれる前記広告表示を、前記当選判定を示す当選表示に変更する前記当選表示処理を実施する当選表示処理部と、を有し、
前記ログイン判定部は、前記クライアント端末からユーザＩＤおよびパスワードを受信し、受信したユーザＩＤおよびパスワードが、前記ユーザ情報データベースに記録されたユーザＩＤおよびパスワードに一致する場合にログイン状態をＯＮと判定し、不一致の場合にログイン状態をＯＦＦと判定し、
前記当選確率決定部は、前記ログイン判定部でログイン状態がＯＦＦと判定された場合は、前記当選確率を規定の確率Ａに決定し、前記ログイン判定部でログイン状態がＯＮと判定された場合は、前記当選確率を前記確率Ａよりも所定の確率αだけ高い確率Ｂに決定する
ことを特徴とした懸賞サービス提供装置。
【請求項２】
請求項１に記載の懸賞サービス提供装置であって、
前記広告表示は、バナー広告である
ことを特徴とした懸賞サービス提供装置。
【請求項３】
請求項１または請求項２に記載の懸賞サービス提供装置であって、
前記ページ作成部は、前記懸賞処理を実施する旨の表示を含む前記ウェブページを作成する
ことを特徴とした懸賞サービス提供装置。
【請求項４】
請求項１ないし請求項３のいずれかに記載の懸賞サービス提供装置であって、
前記ページ作成部は、前記ユーザの前記ウェブサイトへのログインにより前記当選確率を上昇させる旨の表示を含む前記ウェブページを作成する
ことを特徴とした懸賞サービス提供装置。
【請求項５】
請求項１ないし請求項４のいずれかに記載の懸賞サービス提供装置であって、
前記ページ作成部は、前記ログイン判定部でログイン状態がＯＮと判定された場合に、前記ユーザ情報データベースを参照し、前記ユーザＩＤと関連付けて記録された前記ユーザの情報に基づいて、前記ウェブページに含める前記広告表示を変更する
ことを特徴とした懸賞サービス提供装置。
【請求項６】
請求項１ないし請求項５のいずれかに記載の懸賞サービス提供装置であって、
前記ページ作成部は、前記広告表示を複数有する前記ウェブページを作成し、
前記懸賞処理部は、複数の前記広告表示のそれぞれについて前記懸賞処理を実施する
ことを特徴とした懸賞サービス提供装置。
【請求項７】
請求項６に記載の懸賞サービス提供装置であって、
前記当選確率決定部は、前記抽選処理における当選確率を、前記複数の広告表示のそれぞれについて個別に設定する
ことを特徴とした懸賞サービス提供装置。
【請求項８】
請求項７に記載の懸賞サービス提供装置であって、
前記当選確率決定部は、前記ウェブページの下方に位置する前記広告表示の前記当選確率を、前記ウェブページの上方に位置する前記広告表示の前記当選確率よりも高く決定する
ことを特徴とした懸賞サービス提供装置。
【請求項９】
請求項７に記載の懸賞サービス提供装置であって、
前記当選確率決定部は、前記ウェブページにおける前記広告表示の大きさに応じて前記当選確率を決定する
ことを特徴とした懸賞サービス提供装置。
【請求項１０】
請求項１ないし請求項９のいずれかに記載の懸賞サービス提供装置であって、
前記ウェブサイトは、ネットワーク上のウェブドキュメントを検索するための検索サイトである
ことを特徴とした懸賞サービス提供装置。
【請求項１１】
サーバを用いてウェブサイトへのクライアント端末のアクセス状態に応じて懸賞処理を実施する懸賞サービス方法であって、
パスワードを含むユーザに関する情報をユーザＩＤに関連付けて記録するユーザ情報データベースを用い、
前記ウェブサイトは、広告表示を有する複数のウェブページを備え、
前記サーバは、
前記クライアント端末からユーザＩＤおよびパスワードを受信し、受信したユーザＩＤおよびパスワードが前記ユーザ情報データベースに記録されたユーザＩＤおよびパスワードに一致する場合にログイン状態をＯＮと判定し、不一致の場合にログイン状態をＯＦＦと判定するログイン判定を実施するとともに、
前記懸賞処理として、
前記ログイン判定部でログイン状態がＯＦＦと判定された場合は、前記当選確率を規定の確率Ａに決定し、前記ログイン判定部でログイン状態がＯＮと判定された場合は、前記当選確率を前記確率Ａよりも所定の確率αだけ高い確率Ｂに決定する当選確率決定処理と、
前記クライアント端末が前記複数のウェブページのうちの１つにアクセスした際に、前記当選確率決定処理で決定した前記当選確率で当選判定を出力する抽選処理と、
前記抽選処理において前記当選判定が出力された場合に、前記クライアント端末がアクセスした前記ウェブページに含まれる前記広告表示を、前記当選判定を示す当選表示に変更する当選表示処理と、を実施する
ことを特徴とする懸賞サービス方法。
【発明の詳細な説明】
【技術分野】
【０００１】
本発明は、ネットワーク上で懸賞サービスを提供する懸賞サービス提供装置および懸賞サービス方法に関する。
【背景技術】
【０００２】
従来より、インターネットなどのネットワーク上のウェブページには、バナーと呼ばれる情報表示領域が設けられている。
模様や色彩の異なるバナーは、ウェブページの他の部分と明確に区別され、ユーザの注目を集めることができる。
このような性質を有するバナーは、特に、商品の宣伝や広告などに最適である。商品の広告などを表示し、その商品などのウェブページにリンクされたバナーは、バナー広告と呼ばれ、新聞広告などと並ぶ有力な宣伝広告の方法として広く利用されている。
【０００３】
ここで、バナー広告等の広告表示による宣伝広告効果をさらに向上するためには、広告表示を含むウェブページへのユーザのアクセス数を増加させることが有効である。
ウェブページへのアクセス数を増加させる方法としては、例えば、懸賞サービスの提供が挙げられる（例えば、特許文献１参照）。
特許文献１に記載の懸賞サービス方法では、ページ内のリンクがクリックされる度に懸賞の抽選を行い、一定の当選確率で景品の当選を発生させる。これにより、利用者が景品目当てでページを閲覧するため、ページのアクセス数の増加を期待することができる。
【０００４】
【特許文献１】特開２００３−１６７９７４号公報
【発明の開示】
【発明が解決しようとする課題】
【０００５】
しかしながら、特許文献１に記載のような従来の懸賞サービス方法では、ウェブページへのアクセス数が増加したとしても、ユーザが広告表示に注目するとは限らない。
特に、バナー広告が一般的となった現状において、ユーザの視線は、広告であることが明らかなバナー広告を避け、自己の求める情報にのみ集中する傾向がある。
ユーザの視線が広告表示に向かなければ、たとえウェブページへのアクセス数が増加したとしても、広告表示本来の宣伝広告効果を発揮することはできない。
【０００６】
本発明の目的は、ユーザの広告表示への注目を促し、広告表示による宣伝広告効果を高めることができる懸賞サービス提供装置および懸賞サービス方法を提供することである。
【課題を解決するための手段】
【０００７】
本発明の懸賞サービス提供装置は、ネットワークを介して接続されたクライアント端末に複数のウェブページを有するウェブサイトを提供し、前記クライアント端末の前記ウェブサイトへのアクセス状態に応じて懸賞処理を実施する懸賞サービス提供装置であって、前記クライアント端末から前記複数のウェブページのうちの一つを要求する旨のページ要求を受信する要求受信部と、抽選処理と当選表示処理とを含む前記懸賞処理を実施する懸賞処理部と、前記懸賞処理の結果に基づいて広告表示を有する前記ウェブページを作成するページ作成部と、前記ページ作成部が作成した前記ウェブページを前記クライアント端末に送信するページ送信部と、パスワードを含むユーザに関する情報をユーザＩＤに関連付けて記録するユーザ情報データベースと、前記ユーザの前記ウェブサイトへのログイン状態を判定するログイン判定部と、を備え、前記懸賞処理部は、前記抽選処理における当選確率を決定する当選確率決定部と、前記クライアント端末が前記複数のウェブページのうちの１つにアクセスした際に、前記当選確率決定部が決定した前記当選確率で当選判定を出力する前記抽選処理を実施する抽選処理部と、前記抽選処理部が前記当選判定を出力した場合に、前記ウェブページに含まれる前記広告表示を、前記当選判定を示す当選表示に変更する前記当選表示処理を実施する当選表示処理部と、を有し、前記ログイン判定部は、前記クライアント端末からユーザＩＤおよびパスワードを受信し、受信したユーザＩＤおよびパスワードが前記ユーザ情報データベースに記録されたユーザＩＤおよびパスワードに一致する場合にログイン状態をＯＮと判定し、不一致の場合にログイン状態をＯＦＦと判定し、前記当選確率決定部は、前記ログイン判定部でログイン状態がＯＦＦと判定された場合は、前記当選確率を規定の確率Ａに決定し、前記ログイン判定部でログイン状態がＯＮと判定された場合は、前記当選確率を前記確率Ａよりも所定の確率αだけ高い確率Ｂに決定することを特徴とする。
【０００８】
このような本発明では、要求受信部、懸賞処理部、ページ作成部およびページ送信部が協働して、ネットワークを介して接続されたクライアント端末に、複数のウェブページを有するウェブサイトを提供する。
このとき、ウェブサイトへのクライアント端末のアクセス状態に応じて懸賞処理部が懸賞処理を実施し、当選判定をウェブページに表示する。
【０００９】
懸賞処理は、抽選処理と当選表示処理とを含む。
抽選処理は、クライアント端末がウェブページにアクセスした際に、抽選を実施し、所定の当選確率で当選判定を出力する処理であり抽選処理部によって実施される。当選確率は、当選確率決定部により決定されている。
当選表示処理は、抽選処理において当選判定が出力された場合に、ウェブページに含まれる広告表示を、当選判定を示す当選表示に変更する処理であり当選表示処理部によって実施される。
【００１０】
ユーザがクライアント端末を操作してウェブサイトにアクセスすると、通常は、広告表示を含むウェブページがクライアント端末の有する表示部などに表示される。
そして、ユーザが、ウェブサイトの複数のウェブページへのアクセスを繰り返すと、アクセスごとに抽選処理が実施される。
抽選処理部から当選判定が出力されると、当選表示処理部が当選表示処理を実施し、広告表示の代わりに当選表示を含むウェブページが表示される。
【００１１】
つまり、ユーザが懸賞応募のための特別な操作をしなくても、ウェブページにアクセスするだけで抽選処理が実施され、その当選判定は当選表示として表示される。
これにより、ユーザは、当選判定の確認をするために、広告表示に代えて当選表示が表示されていないかを確認するようになる。
すなわち、ウェブサイトの利用（ウェブページの閲覧など）に際して、ユーザの視線を広告表示の位置に誘導することができる。
したがって、本発明の懸賞サービス提供装置によれば、ユーザの広告表示への注目を促し、広告表示による宣伝広告効果を高めることができる。
【００１２】
また、従来の懸賞サービス方法と同様に、当選に伴う景品等によってユーザのウェブページへのアクセスを促し、アクセス数を増加させることができる。ユーザのアクセス数が増加すれば、広告表示がユーザの目にとまる機会が増し、宣伝広告効果の向上が期待できる。
さらに、ウェブページにアクセスするだけで抽選処理が実施されることとしたので、情報の提供などの役割を果たす通常のウェブページに、ユーザを楽しませる娯楽の要素を追加することができる。
【００１３】
なお、ページ作成部がクライアント端末のページ要求に応じてウェブページを作成し、ページ送信部がクライアント端末に送信する形態のウェブサイトも、複数のウェブページを備えるウェブサイトに該当するものとする。
【００１４】
本発明の懸賞サービス提供装置において、前記広告表示は、バナー広告であることが望ましい。
バナー広告が一般的となった現状において、ユーザの視線は、広告であることが明らかなバナー広告を避け、自己の求める情報にのみ集中する傾向がある。
これに対し、本発明によれば、ユーザのバナー広告への注目を促すことができるので、バナー広告による宣伝広告効果を高めることができる。
なお、バナーとは、ウェブページにおいて、一連の情報をウェブページの他の部分と区別して表示する情報表示領域を表す。
バナー広告とは、商品などの宣伝や広告などを表示するバナーを表す。バナー広告には、商品などのウェブページへのリンクが設けられていてもよい。
【００１５】
本発明の懸賞サービス提供装置において、前記ページ作成部は、前記懸賞処理を実施する旨の表示を含む前記ウェブページを作成することが望ましい。
これにより、ユーザが懸賞応募のための特別な操作をしなくても、ウェブページにアクセスするだけで懸賞処理が実施され、当選判定が当選表示として表示されることをユーザに認知させることができる。
すなわち、ユーザの視線を、より確実に、広告表示の位置に誘導することができ、広告表示による宣伝広告効果を高めることができる。
【００１６】
本発明の懸賞サービス提供装置において、前記当選確率決定部は、前記クライアント端末の前記ウェブサイトに対する操作に応じて、前記当選確率を変動させる。
これにより、抽選処理における当選確率は、クライアント端末のウェブサイトに対する操作に応じて変動される。
ここで、ユーザがクライアント端末を操作し、ウェブサイトに対してある特定の操作をした場合に当選確率を上昇させることとすれば、ユーザに対し、その特定の操作をするように促すことができる。
【００１７】
例えば、ウェブサイト内の特定のウェブページを閲覧すると、当選確率決定部が当選確率を上昇させることとすれば、そのウェブページの閲覧を促すことができる。
また、例えば、広告表示により広告されている商品を紹介するウェブページを閲覧した場合に、当選確率決定部が当選確率を上昇させることとすれば、そのウェブページにおける商品の紹介と、広告表示への注目誘導との相乗効果により、宣伝広告効果をさらに高めることができる。
【００１８】
本発明の懸賞サービス提供装置は、ユーザに関する情報をユーザＩＤに関連付けて記録するユーザ情報データベースと、前記ユーザの前記ウェブサイトへのログイン状態を判定するログイン判定部と、を備え、前記ログイン判定部は、前記クライアント端末が前記ユーザＩＤを提示して前記ウェブサイトにアクセスした場合に前記ユーザが前記ウェブサイトにログインしたと判定し、前記当選確率決定部は、前記ユーザが前記ウェブサイトにログインしたと前記ログイン判定部が判定した場合に、前記当選確率を上昇させる。
【００１９】
ユーザに関する情報をユーザＩＤに関連付けて管理し、自己のユーザＩＤを提示してアクセス（つまり、ログイン）してきたユーザに対し、種々のサービスを提供するウェブサイトが知られている。
このようなウェブサイトでは、ログインしたユーザのウェブサイト上での操作などを記録、蓄積し、この蓄積された情報に基づいて、そのユーザに最適なサービスを提供することができる。
【００２０】
しかしながら、ユーザは、ログインに際して、ユーザＩＤやパスワードなどをウェブサイトに送信する必要がある。その煩雑さから、ログインせずにウェブサイトを利用するユーザも多い。ログインがなければ情報の蓄積ができず、サービスの向上も望めない。
これに対し、本発明では、ログイン判定部が、ユーザのログインを判定し、ユーザがウェブサイトにログインしたと判定した場合に、当選確率決定部が、当選確率を上昇させる。つまり、ユーザのログインによって当選確率が上昇するので、ユーザのウェブサイトへのログインを促すことができる。
【００２１】
特に、本発明の懸賞サービス提供装置では、ユーザが懸賞応募のための特別な操作をしなくても、ウェブページにアクセスするだけで抽選処理が実施されるので、ウェブサイトを利用する際に、恒常的、日常的にログインをするよう促すことができる。
そして、ユーザがウェブサイトへログインすれば、ユーザのウェブサイト上での操作などのユーザ情報をユーザ情報データベースに記録、蓄積することができ、例えば、この蓄積された情報に基づいてそのユーザに最適なサービスを提供することができる。
【００２２】
本発明の懸賞サービス提供装置において、前記ページ作成部は、前記ユーザの前記ウェブサイトへのログインにより前記当選確率を上昇させる旨の表示を含む前記ウェブページを作成することが望ましい。
これにより、ログインによって当選確率が上昇することをユーザに認知させることができ、ユーザのウェブサイトへのログインを一層促進することができる。
【００２３】
本発明の懸賞サービス提供装置において、前記ページ作成部は、前記ログイン判定部でログイン状態がＯＮと判定された場合に、前記ユーザ情報データベースを参照し、前記ユーザＩＤと関連付けて記録された前記ユーザの情報に基づいて、前記ウェブページに含める前記広告表示を変更することが望ましい。
これにより、例えば、ユーザＩＤに関連付けられたユーザの情報に基づいて、ユーザの興味や関心などを予想し、これに合致した商品などの広告表示を表示することができる。
関心のある商品に関する広告表示には、ユーザが注目しやすく、商品の購入にもつながりやすいため、非常に高い宣伝広告効果を得ることができる。
【００２４】
本発明の懸賞サービス提供装置において、前記ページ作成部は、前記広告表示を複数有する前記ウェブページを作成し、前記懸賞処理部は、複数の前記広告表示のそれぞれについて前記懸賞処理を実施することが望ましい。
これにより、ウェブページが複数の広告表示を有する場合に、それぞれの広告表示に対してユーザの視線を誘導することができる。
また、複数の広告表示を、互いに離れた位置に配置すれば、ユーザは、当選判定の確認をするために、１つの広告表示から他の広告表示へと視線を移動させる。よって、ウェブページ内の一部分のみならず、ウェブページの全体の閲覧を促すことができる。
【００２５】
本発明の懸賞サービス提供装置において、前記当選確率決定部は、前記抽選処理における当選確率を、前記複数の広告表示のそれぞれについて個別に設定することが望ましい。
これにより、重要な広告表示（例えば、ユーザの関心の高い商品に関する広告表示）に対し、優先的に、ユーザの視線を誘導することができる。
【００２６】
本発明の懸賞サービス提供装置において、前記当選確率決定部は、前記ウェブページの下方に位置する前記広告表示の前記当選確率を、前記ウェブページの上方に位置する前記広告表示の前記当選確率よりも高く決定することが望ましい。
これにより、ウェブページの下方に位置し、ユーザが注目しにくい広告表示に対し、優先的に、ユーザの視線を誘導することができる。
また、ウェブページの下方に位置する広告表示を確認するためには、ウェブページをスクロールする必要があるので、ウェブページの全体の閲覧を促すことができる。
【００２７】
本発明の懸賞サービス提供装置において、前記当選確率決定部は、前記ウェブページにおける前記広告表示の大きさに応じて前記当選確率を決定することが望ましい。
これにより、例えば、小さい広告表示の当選確率を高く設定すれば、ユーザが注目しにくい小さな広告表示に対し、優先的に、ユーザの視線を誘導することができる。
また、逆に、大きい広告表示の当選確率を高く設定すれば、ユーザが注目しやすい大きな広告表示に、より一層ユーザの視線を集中させることができる。
【００２８】
本発明の懸賞サービス提供装置において、前記ウェブサイトは、ネットワーク上のウェブドキュメントを検索するための検索サイトであることが望ましい。
検索サイトにおいては、ユーザの関心がウェブドキュメントの検索に集中するため、他のウェブサイトに比べて、広告表示の宣伝広告効果が低下するおそれがある。
【００２９】
これに対し、本発明の懸賞サービス提供装置では、上述のように、ユーザの視線を広告表示の位置に誘導することができるので、広告表示による宣伝広告効果を確保することができる。
また、検索作業は単調になりがちであるが、本発明の懸賞サービス提供装置によれば、検索用のウェブページに娯楽の要素を追加し、ユーザを楽しませることができる。
さらに、ユーザがウェブサイトにログインして検索を実施すれば、ユーザの検索履歴を蓄積することができ、例えば、検索履歴に基づいてユーザの興味や関心などを予想し、これに合致した商品などの広告表示を表示することができる。
【００３０】
本発明の懸賞サービス方法は、サーバを用いてウェブサイトへのクライアント端末のアクセス状態に応じて懸賞処理を実施する懸賞サービス方法であって、パスワードを含むユーザに関する情報をユーザＩＤに関連付けて記録するユーザ情報データベースを用い、前記ウェブサイトは、広告表示を有する複数のウェブページを備え、前記サーバは、前記クライアント端末からユーザＩＤおよびパスワードを受信し、受信したユーザＩＤおよびパスワードが前記ユーザ情報データベースに記録されたユーザＩＤおよびパスワードに一致する場合にログイン状態をＯＮと判定し、不一致の場合にログイン状態をＯＦＦと判定するログイン判定を実施するとともに、前記懸賞処理として、前記ログイン判定部でログイン状態がＯＦＦと判定された場合は、前記当選確率を規定の確率Ａに決定し、前記ログイン判定部でログイン状態がＯＮと判定された場合は、前記当選確率を前記確率Ａよりも所定の確率αだけ高い確率Ｂに決定する当選確率決定処理と、前記クライアント端末が前記複数のウェブページのうちの１つにアクセスした際に、前記当選確率決定処理で決定した前記当選確率で当選判定を出力する抽選処理と、前記抽選処理において前記当選判定が出力された場合に、前記クライアント端末がアクセスした前記ウェブページに含まれる前記広告表示を、前記当選判定を示す当選表示に変更する当選表示処理と、を実施することを特徴とする。
【００３１】
このような本発明では、ユーザが懸賞応募のための特別な操作をしなくても、ウェブページにアクセスするだけで抽選処理が実施され、その当選判定は当選表示として表示される。
これにより、ユーザは、当選判定の確認をするために、広告表示に代えて当選表示が表示されていないかを確認するようになる。
すなわち、ウェブページの閲覧に際して、ユーザの視線を広告表示の位置に誘導することができる。
したがって、本発明の懸賞サービス方法によれば、ユーザの広告表示への注目を促し、広告表示による宣伝広告効果を高めることができる。
【００３２】
また、従来の懸賞サービス方法と同様に、当選に伴う景品等によってユーザのウェブページへのアクセスを促し、アクセス数を増加させることができる。ユーザのアクセス数が増加すれば、広告表示がユーザの目にとまる機会が増し、宣伝広告効果の向上が期待できる。
さらに、ウェブページにアクセスするだけで抽選処理が実施されることとしたので、情報の提供などの役割を果たす通常のウェブページに、ユーザを楽しませる娯楽の要素を追加することができる。
【発明を実施するための最良の形態】
【００３３】
以下、本発明の実施形態を図面に基づいて説明する。
【００３４】
［コンピュータシステムの構成］
図１に、本実施形態の懸賞サービス提供装置を含むコンピュータシステムの概略構成を示す。
図１に示すように、コンピュータシステム１において、クライアント端末２と、クライアント端末２に対してウェブサイトを提供する懸賞サービス提供装置であるサーバ３とが、インターネット４を介して接続されている。なお、本発明はインターネット４に限定されず、他のネットワークを用いるものであってもよい。
本実施形態で、サーバ３がクライアント端末２に提供するウェブサイトは、インターネット４上のウェブドキュメントを検索するための検索サイトである。
【００３５】
クライアント端末２は、サーバ３から受信したウェブページなどを表示する表示部２１と、ユーザがサーバ３に対してウェブページを要求するための操作部２２と、を備える。
また、クライアント端末２は、サーバ３に対してウェブページを要求するページ要求部２３と、サーバ３からウェブページを受信するページ受信部２４と、を備える。
ページ要求部２３は、ウェブページを要求する際に、ユーザＩＤなどのユーザ関連情報をサーバ３に対して送信する。ユーザ関連情報としては、例えばｃｏｏｋｉｅが挙げられる。本実施形態では、ユーザ関連情報としてｃｏｏｋｉｅを利用する。
【００３６】
クライアント端末２は、インターネット４を介してサーバ３に接続可能な機器であればよく、特に限定されないが、例えば、携帯電話やノートパソコンなどが挙げられる。
なお、図１においては、説明のため、１つのクライアント端末２とサーバ３とが接続された構成を例示したが、実際には、サーバ３は、多数のクライアント端末２に対してサービスを提供することができる。
【００３７】
サーバ３は、クライアント端末２のページ要求部２３からウェブページのうちの１つを要求する旨のページ要求を受信する要求受信部３１と、受信したページ要求の内容を判定する要求判定部３２と、要求判定部３２の判定などに応じて広告表示としてのバナー広告を有するウェブページを作成するページ作成部３３と、ページ作成部３３が作成したウェブページをクライアント端末２のページ受信部２４に送信するページ送信部３４と、を備える。
【００３８】
また、サーバ３は、ユーザのウェブサイトへのログイン状態を判定するログイン判定部３５と、抽選処理と当選表示処理とを含む懸賞処理を実施する懸賞処理部５と、ユーザに関する情報をユーザＩＤに関連付けて記録するユーザ情報データベース６と、ウェブページに表示するための広告情報を記録している広告情報データベース７と、を備える。
【００３９】
懸賞処理部５は、抽選処理における当選確率を決定する当選確率決定部５１と、クライアント端末２が複数のウェブページのうちの１つにアクセスした際に、当選確率決定部５１が決定した当選確率で当選判定を出力する抽選処理を実施する抽選処理部５２と、抽選処理部５２が当選判定を出力した場合に、ページ作成部３３が作成したウェブページに含まれる広告表示であるバナー広告を、当選判定を示す当選表示である当選バナーに変更する当選表示処理を実施する当選表示処理部５３と、当選の景品としてユーザにポイントを付与するポイント累計部５４と、を有する。
本実施形態では、前述のページ作成部３３が当選表示処理部５３として機能する。
ポイント累計部５４が付与するポイントは、ウェブサイトにおいて通用するポイントであって、ユーザ情報データベース６に記録されている（以下の表１参照）。ポイントの内容は特に限定されないが、例えば、一定値に達した場合に景品を受け取ることができるポイントであってもよい。また、このポイントは、懸賞処理に限らず、他の方法によっても獲得できることとしてもよい。
【００４０】
ユーザ情報データベース６には、例えば、以下の表１に示すようなユーザ情報（パスワード、メールアドレス、氏名、性別、年齢、ポイント、ログイン状態、検索履歴など）がユーザＩＤに関連付けて記録されている。
【００４１】
【表１】
0004928400.tif 000002
【００４２】
［コンピュータシステムの動作］
図２は、本実施形態の懸賞サービス方法のフローチャートである。図３は、本実施形態の懸賞サービス方法においてクライアント端末２の表示部２１に表示される一連のウェブページを表す。
以下、図１および図３を適宜参照しつつ、図２に沿って、コンピュータシステム１の動作を説明する。
【００４３】
まず、ＳＴ１において、クライアント端末２からページ要求があったか否かを判断する。
具体的には、ページ要求部２３から要求受信部３１にページ要求があればＹｅｓとなりＳＴ２に進む。要求がなければＮｏとなりコンピュータシステム１による懸賞サービスが終了する。
ＳＴ２では、クライアント端末２が要求するウェブページが、ユーザがウェブサイトにログインするためのログインページ（図３（ｂ））であるか否かを判断する。
この判断は、要求判定部３２によって実施される。ログインページが要求されている場合はＹｅｓとなりＳＴ３に進む。ログインページ以外のページが要求されている場合はＮｏとなりＳＴ４に進む。
【００４４】
ＳＴ３において、ページ作成部３３がログインページを作成し、作成されたログインページをページ送信部３４がクライアント端末２のページ受信部２４へ送信する（ログインページ作成送信）。ページ受信部２４が受信したログインページは、クライアント端末２の表示部２１に表示される。
ユーザは、クライアント端末２の操作部２２を操作して、ログインページ内のテキストボックス１０５，１０６に自己のユーザＩＤおよびパスワードを入力し、「ＯＫ」と表示されたボタン１０７をクリックする（図３参照）。すると、ページ要求部２３が要求受信部３１にユーザＩＤおよびパスワードを送信する（ＩＤ及びパスワード受信）。
【００４５】
ログイン判定部３５は、要求受信部３１および要求判定部３２を介してユーザＩＤおよびパスワードを受信し、これらをユーザ情報データベース６に記録されたユーザＩＤおよびパスワードと照合する。
ユーザＩＤおよびパスワードの照合が取れた場合、ログイン判定部３５は、ユーザ情報データベース６におけるそのユーザＩＤのログイン状態をＯＮにする（ログイン処理）。また、ユーザＩＤを記載したｃｏｏｋｉｅをクライアント端末２に送信する。
そして、処理はＳＴ１に戻る。
なお、ユーザ情報データベース６に記録されたログイン状態は、所定時間継続してクライアント端末２からサーバ３に対しての操作がない場合や、ログオフの操作がされた場合に、ＯＦＦに変更される。
【００４６】
なお、図２のフローチャートには記載していないが、ユーザがユーザＩＤおよびパスワードを有していない場合には、ログインページで「新規登録」と表示されたボタン１０８をクリックし、新規登録用のウェブページ（図３（ｆ））を表示させることができる。
ここで、希望するユーザＩＤなどの所定事項を記入してサーバ３に送信することで、ユーザＩＤのユーザ情報データベース６への登録を受けることができる。
ユーザＩＤの新規登録に際して記入する所定事項としては、図３（ｆ）に示すように、希望するユーザＩＤ、パスワード、メールアドレス、氏名、性別、年齢などが挙げられるが、これに限定されず、必要に応じて任意に設定することができる。
こうして登録を受けたユーザＩＤおよびパスワードをログインページに入力、送信することで、ウェブサイトへログインすることができる。
【００４７】
ＳＴ４において、ユーザがウェブサイトにログインしているか否かが判断される。
具体的には、ログイン判定部３５が、ページ要求部２３から送信されたｃｏｏｋｉｅを受信する。ログイン判定部３５は、ユーザ情報データベース６を参照し、ｃｏｏｋｉｅに記載されたユーザＩＤのログイン状態を調べる。
ログイン状態がＯＦＦであればＮｏとなり、ＳＴ４１を実施したうえでＳＴ５に進む。ログイン状態がＯＮであればＹｅｓとなり、ＳＴ４２を実施したうえでＳＴ５に進む。
なお、ユーザがログインしており、クライアント端末２からのページ要求が、キーワードを用いたウェブドキュメントの検索結果を要求するものである場合、ログイン判定部３５は、そのキーワードを検索履歴としユーザＩＤと関連付けてユーザ情報データベースに記録する。
【００４８】
ＳＴ４１では、規定の確率Ａで抽選処理が実施される。
具体的には、ログイン状態がＯＦＦであるというログイン判定部３５の判定を受信した当選確率決定部５１が、当選確率を規定の確率Ａに決定する。抽選処理部５２は、決定された確率Ａで当選判定をページ作成部３３に出力する（抽選処理）。
ＳＴ４２では、規定の確率Ａに所定の確率αを足した確率Ｂ（つまりＡ＋α＝Ｂ、Ａ＜Ｂである）で抽選処理が実施される。
具体的には、ログイン状態がＯＮであるというログイン判定部３５の判定を受信した当選確率決定部５１が、当選確率を規定の確率Ａに所定の確率αを足した確率Ｂに決定する（確率変動処理）。抽選処理部５２は、決定された確率Ｂで当選判定をページ作成部３３に出力する（抽選処理）。
【００４９】
ＳＴ５において、当選判定が出力されたか否かが判断される。
ページ作成部３３が抽選処理部５２から当選判定を受信した場合はＹｅｓとなりＳＴ５１に進む。ページ作成部３３が抽選処理部５２から当選判定を受信していない場合はＮｏとなりＳＴ５２に進む。
【００５０】
ＳＴ５１では、ページ作成部３３が、要求判定部３２から受信したクライアント端末２からのページ要求についての判定と、抽選処理部５２から受信した当選判定と、などに基づいて、クライアント端末２が要求したウェブページに本来含まれるバナー広告１０１を、当選判定の表示を含む当選バナー１０９に変更したウェブページ（図３（ｄ）または（ｅ））を作成する。
作成されたウェブページは、ページ送信部３４によってクライアント端末２のページ受信部２４へ送信され、表示部２１に表示される。
そして、当選バナー１０９がクリックされると、ＳＴ６へと進む。
なお、ＳＴ５１の一連の処理が当選表示処理である。
【００５１】
ＳＴ５２では、ページ作成部３３が、要求判定部３２から受信したクライアント端末２からのページ要求と、広告情報データベース７から読み込んだ広告情報と、などに基づいて、クライアント端末２が要求したウェブページ（図３（ａ）または（ｃ））を作成する。
このウェブページには、広告情報データベース７の広告情報に基づいて作成されたバナー広告１０１が含まれている。
作成されたウェブページは、ページ送信部３４によってクライアント端末２のページ受信部２４へ送信され、表示部２１に表示される。
そして、処理はＳＴ１へと戻る。
【００５２】
ＳＴ６において、ユーザがウェブサイトにログインしているか否かが判断される。
具体的には、ログイン判定部３５が、ＳＴ４と同様に動作し、ユーザのログインの有無をページ作成部３３に通知する。
ユーザがログインしていなければＮｏとなり、ＳＴ７を実施したうえでＳＴ８に進む。ログインしていればＹｅｓとなり、ＳＴ８に進む。
【００５３】
ＳＴ７において、ログイン判定部３５からユーザがログインしていないことを通知されたページ作成部３３は、ログインページを作成し、作成されたログインページをページ送信部３４がクライアント端末２のページ受信部２４へ送信する（ログインページ作成送信）。ページ受信部２４が受信したログインページは、クライアント端末２の表示部２１に表示される。
続いて、ＳＴ３と同様の処理（ＩＤ及びパスワード受信、ログイン処理）を実施し、ＳＴ８に進む。
【００５４】
ＳＴ８において、ポイント累計部５４は、抽選処理部５２が出力した当選判定の内容を参照し、ユーザに付与するポイントを決定する。
また、ログイン判定部３５は、クライアント端末２から受信したｃｏｏｋｉｅに記載されたユーザＩＤをポイント累計部５４に通知する。
これを受けて、ポイント累計部５４は、そのユーザＩＤについてユーザ情報データベース６に記録されているポイントを読み込み、このポイントに、当選判定によって付与することを決定したポイントを足し合わせて、累計ポイントを算出する。
ポイント累計部５４は、ユーザ情報データベース６に記録されているポイントを累計ポイントの値に書き換え（ポイント加算処理）、新たに付与したポイントの値をページ作成部３３に通知する。
【００５５】
ページ作成部３３は、ポイント累計部５４から通知されたポイントの値と、広告情報データベース７から読み込んだ広告情報と、などに基づいて、ウェブページ（図３（ｇ））を作成する。
このウェブページには、広告情報データベース７の広告情報に基づいて作成されたバナー広告１０１と、当選判定により新たに付与したポイントの表示１１０が含まれている。
作成されたウェブページは、ページ送信部３４によってクライアント端末２のページ受信部２４へ送信され（ポイント表示ページ作成送信）、表示部２１に表示される。
そして、処理はＳＴ１へと戻る。
【００５６】
［表示されるウェブページ］
次に、図３を用いて、ユーザの側から見た一連の処理の流れを、表示部２１に表示されるウェブページに沿って説明する。
はじめに、ユーザがウェブサイトにアクセスすると、（ａ）のウェブページが表示される。
（なお、ウェブサイトへの最初のアクセスに対しても抽選処理は実施されるため、ウェブページ（ｄ）が表示される場合もありうるが、このような場合は除外して説明する。）
【００５７】
ウェブページ（ａ）には、広告情報データベース７の広告情報に基づいて作成されたバナー広告１０１が表示されている。
また、懸賞処理を実施する旨の表示１０２と、ユーザがウェブサイトにログインした場合に当選確率を上昇させる旨の表示１０３と、が表示されている。
ウェブページ（ａ）の右上には、ログインページであるウェブページ（ｂ）に遷移するためのリンク１０４が設けられている。
なお、ウェブページ（ａ）には、この他に、文字や画像など種々の情報や、ウェブドキュメントを検索するための構成などが含まれているが、図３では省略した。この点は、ウェブページ（ｂ）〜（ｇ）でも同様である。
【００５８】
本実施形態では、ログインの有無によって表示されるウェブページが異なるので、以下、場合をわけて説明する。
【００５９】
［抽選処理の前にログインする場合］
ログインする場合には、リンク１０４をクリックして、ログインページであるウェブページ（ｂ）を表示させる。
ウェブページ（ｂ）には、ユーザＩＤを入力するテキストボックス１０５と、パスワードを入力するテキストボックス１０６と、これらに入力した情報をサーバ３に送信するための「ＯＫ」と表示されたボタン１０７と、が設けられている。
テキストボックス１０５，１０６にユーザＩＤとパスワードを入力し、ボタン１０７をクリックすると、ログイン処理が実施され、ウェブページ（ｃ）に遷移する。
（ここでも抽選処理は実施されるため、ウェブページ（ｃ）ではなくウェブページ（ｄ）が表示される場合もありうるが、このような場合は除外して説明する。）
【００６０】
ユーザがユーザＩＤを有していない場合には、ウェブページ（ｂ）で「新規登録」と表示されたボタン１０８をクリックし、新規登録用のウェブページ（ｆ）を表示させることができる。ここで、希望するユーザＩＤなどの所定事項をテキストボックス、ラジオボタン、チェックボックスなどを用いて入力し、サーバ３に送信することで、ユーザＩＤのユーザ情報データベース６への登録を受けることができる。
こうして登録を受けたユーザＩＤおよびパスワードをウェブページ（ｂ）に入力、送信することで、ウェブサイトへログインすることができ、ウェブページ（ｃ）に遷移する。
【００６１】
ウェブページ（ｃ）のバナー広告１０１は、ウェブページ（ａ）のバナー広告１０１から変更されている。
具体的には、ページ作成部３３が、ログイン判定部３５を介してユーザ情報データベース６を参照し、ユーザＩＤに関連付けて記録されているユーザの情報、例えば、性別、年齢、住所、検索履歴などに基づいて、ユーザの興味や関心などを予想し、これに合致した商品などのバナー広告１０１を表示する。
【００６２】
例えば、表１において、ユーザＩＤ「ｔａｎａｋａ」を有する「田中＊＊」は、「ノートパソコン，小型軽量，最新モデル，携帯情報端末，ホットスポット，海外使用，…」といった検索履歴から、持ち運びのできる電子機器などに関心があると予想される。
ユーザＩＤ「ｓｕｚｕｋｉ」を有する「鈴木＊＊」は、「和食，中華料理，イタリア料理，レシピ，調理法，食品添加物，有機栽培，衛生管理，…」といった検索履歴から、料理や食品の安全性などに関心があると予想される。
【００６３】
また、例えば、広告情報データベース７に、広告情報とともにその広告に関連するキーワードを設定しておく。そして、ユーザの検索履歴にキーワードが含まれていた場合にその広告情報から生成したバナー広告１０１をウェブページに表示する。これにより、複雑な処理による興味、関心の予想をしなくても、予め設定したキーワードによって、ユーザに適したバナー広告１０１を表示することができる。
【００６４】
また、ウェブページ（ｃ）には表示１０３およびリンク１０４は設けられておらず、代わりにログインしたことを示す「こんにちは○○さん！」との表示がされている。ここで、「○○」は、ユーザＩＤやユーザＩＤに関連付けて記録されているユーザ名などである。
【００６５】
ウェブページ（ｃ）において、ユーザがウェブドキュメントの検索などの操作を実施すると、ウェブページが遷移していく。
ここで、ウェブページが遷移するごとに（つまり新たなウェブページにアクセスするごとに）、抽選処理部５２において抽選処理が実施される。
ユーザがログインしているため、確率変動処理が実施されることとなり、抽選処理は、規定の確率Ａに所定の確率αを足した確率Ｂ（つまりＡ＋α＝Ｂ、Ａ＜Ｂである）で実施される。
【００６６】
抽選処理部５２から当選判定が出力されると、ウェブページ（ｄ）が表示される（当選表示処理）。
ウェブページ（ｄ）にはバナー広告１０１の代わりに、「当たり！」と表示して当選判定が出力されたことを示す当選バナー１０９が設けられている。
当選バナー１０９をクリックすると、ポイント累計部５４によってポイント加算処理が実施され、ウェブページ（ｇ）に遷移する。
ウェブページ（ｇ）には、バナー広告１０１と、当選判定により新たに付与したポイントの表示１１０が含まれている。
【００６７】
［抽選処理の前にログインしない場合］
ウェブページ（ａ）においてリンク１０４をクリックせず、ウェブドキュメントの検索などの操作を実施する。
ここで、ウェブページが遷移するごとに（つまり新たなウェブページにアクセスするごとに）、抽選処理部５２において抽選処理が実施される。
ユーザがログインしていないため、この抽選処理は、規定の確率Ａで実施される。
【００６８】
抽選処理部５２から当選判定が出力されると、ウェブページ（ｅ）が表示される（当選表示処理）。
ウェブページ（ｅ）にはバナー広告１０１の代わりに当選バナー１０９が設けられている。
ここで、当選バナー１０９またはリンク１０４をクリックすると、ウェブページ（ｂ）に遷移する。
ウェブページ（ｂ）において、ユーザＩＤとパスワードをサーバ３に送信してウェブサイトにログインすると、ポイント累計部５４によってポイント加算処理が実施され、ウェブページ（ｇ）に遷移する。
なお、ユーザがユーザＩＤを有していない場合は、ウェブページ（ｆ）にてユーザＩＤの登録を受ける必要がある。
【００６９】
［実施形態の作用効果］
上述した実施形態では、以下に示す作用効果を奏することができる。
【００７０】
ユーザが懸賞応募のための特別な操作をしなくても、ウェブページにアクセスするだけで抽選処理が実施され、その当選判定は当選バナー１０９として表示される。
これにより、ユーザは、当選判定の確認をするために、バナー広告１０１に代えて当選バナー１０９が表示されていないかを確認するようになる。
すなわち、ウェブサイトの利用（ウェブページの閲覧など）に際して、ユーザの視線をバナー広告１０１の位置に誘導することができる。
したがって、ユーザのバナー広告１０１への注目を促し、バナー広告１０１による宣伝広告効果を高めることができる。
【００７１】
また、当選に伴うポイント付与によってユーザのウェブページへのアクセスを促し、アクセス数を増加させることができる。ユーザのアクセス数が増加すれば、バナー広告１０１がユーザの目にとまる機会が増し、宣伝広告効果の向上が期待できる。
さらに、ウェブページにアクセスするだけで抽選処理が実施されることとしたので、情報の提供などの役割を果たす通常のウェブページに、ユーザを楽しませる娯楽の要素を追加することができる。
【００７２】
ウェブページに、懸賞処理を実施する旨の表示１０２を表示したので、ユーザが懸賞応募のための特別な操作をしなくても、ウェブページにアクセスするだけで抽選処理が実施され、その当選判定が当選バナー１０９として表示されることをユーザに認知させることができる。
すなわち、ユーザの視線を、より確実に、バナー広告１０１の位置に誘導することができ、バナー広告１０１による宣伝広告効果を高めることができる。
【００７３】
抽選処理における当選確率が、ユーザのログインによって上昇することとしたので、ユーザのウェブサイトへのログインを促すことができる。
特に、本実施形態では、ユーザが懸賞応募のための特別な操作をしなくても、ウェブページにアクセスするだけで抽選処理が実施されるので、ウェブサイトを利用する際に、恒常的、日常的にログインをするよう促すことができる。
そして、ユーザがウェブサイトへログインすれば、ユーザのウェブサイト上での操作などを記録、蓄積することができ、例えば、この蓄積された情報に基づいてそのユーザに最適なサービスを提供することができる。
また、ユーザ登録済みのユーザがログイン状態である場合に、当選確率を上昇させるため、未登録ユーザのユーザ登録を促進することもできる。
【００７４】
ウェブページに、ユーザがウェブサイトにログインした場合に、当選確率を上昇させる旨の表示１０３を表示したので、ログインによって当選確率が上昇することをユーザに認知させることができ、ユーザのウェブサイトへのログインを一層促進することができる。
【００７５】
本実施形態では、ページ作成部３３は、ユーザがウェブサイトにログインした場合に、ユーザ情報データベース６を参照し、ユーザＩＤと関連付けて記録されたユーザの情報に基づいて、ユーザの興味や関心などを予想し、これに合致した商品などのバナー広告１０１に変更する。ここで、関心のある商品に関するバナー広告１０１には、ユーザが注目しやすく、商品の購入にもつながりやすいため、非常に高い宣伝広告効果を得ることができる。
【００７６】
従来の検索サイトにおいては、ユーザの関心がウェブドキュメントの検索に集中するため、他のウェブサイトに比べて、バナー広告１０１の宣伝広告効果が低下するおそれがある。
これに対し、本実施形態では、ユーザの視線をバナー広告１０１の位置に誘導することができるので、バナー広告１０１による宣伝広告効果を確保することができる。
また、検索作業は単調になりがちであるが、本実施形態では、検索用のウェブページに娯楽の要素を追加し、ユーザを楽しませることができる。
さらに、ユーザがウェブサイトにログインして検索を実施すれば、ユーザの検索履歴を蓄積することができ、例えば、検索履歴に基づいてユーザの興味や関心などを予想し、これに合致した商品などのバナー広告１０１を表示することができる。
【００７７】
当選判定に伴う景品として、ユーザにウェブサイトで通用するポイントを付与することとしたので、商品などを景品とする場合に比べて、梱包や発送などの手間が掛からない。また、ユーザにとっても、景品送付のために住所などを明かす必要がないなどの利点がある。
【００７８】
［変形例］
なお、本発明は、上述した実施形態に限定されるものではなく、本発明の目的を達成
できる範囲で、例えば、以下に示される変形をも含むものである。
【００７９】
上述の実施形態において、広告表示としてバナー広告１０１を例示したが、これに限らない。バナー広告１０１に代えて他の形態の広告表示を用いた場合であっても、上述の実施形態と同様の優れた作用効果を得ることができる。
他の形態の広告表示としては、例えば、広告内容を示すテキスト文字列に広告掲載元サイトへのハイパーリンクを付した広告表示等が挙げられる。
【００８０】
上述の実施形態において、ウェブサイト内のウェブページへのアクセスに対して懸賞処理を実施する構成を例示したが、これに限定されない。
例えば、バナー広告１０１をクリックして、リンクされた商品などのウェブページ（広告主のウェブサイト内のウェブページなど。外部のウェブページである。）にアクセスしようとしたときにも、懸賞処理を実施することとしてもよい。
この場合、当選判定が出力されれば当選バナーを含むウェブページが表示され、当選判定が出力されなければ、外部の商品などのウェブページが表示される。
これにより、ユーザの視線をバナー広告１０１に誘導させるだけでなく、商品などのウェブページ閲覧を促進することができる。
ユーザが、商品などのウェブページを閲覧することは、宣伝広告の観点からすれば最も好ましいことである。
なお、ここで、バナー広告１０１をクリックした際に実施される抽選処理の当選確率を、通常の当選確率よりも高く設定しておけば、商品などのウェブページの閲覧をさらに促進させることができる。
【００８１】
上述の実施形態において、横長の長方形状の広告バナー１０１が、ウェブページの上方に表示される構成を例示したが、これに限らない。
例えば、広告バナー１０１は、ウェブページの下方に表示されてもよく、その形状も長方形以外の多角形や楕円形などであってもよい。
この場合、ウェブページの下方に位置し、ユーザが注目しにくいバナー広告１０１に対し、優先的に、ユーザの視線を誘導することができる。また、図４（ａ）に示すように、ウェブページが表示部２１の表示領域２１Ａよりも大きい場合、ウェブページの下方に位置するバナー広告１０１を確認するためには、ウェブページをスクロールする必要があるので、ウェブページの全体の閲覧を促すことができる。このとき、ウェブページの下方に懸賞処理が実施されるバナー広告１０１がある旨の表示１１１をすれば、より確実に、ユーザの視線をウェブページの下方に誘導することができる。
広告バナー１０１が長方形以外の形状であれば、通常のバナーと比べて目立つので、大きな宣伝広告効果をあげることができる。
【００８２】
上述の実施形態において、単純に「当たり！」とのみ表示された当選バナー１０９を例示したが、これに限定されない。
本発明の当選バナー１０９は、当選判定の表示を含むものであればよく、例えば、図５（ａ）に示すように、バナー広告１０１の一部分を当選判定の表示に置き換えたものや、図５（ｂ）に示すように、バナー広告１０１に付随するように当選判定を表示したものでもよい。
また、例えば、図５（ｃ）に示すように、当選バナー１０９は、景品提供者の表示を含んでいてもよい。図５（ｃ）において、「△△」は、景品提供者を表す。
この場合、景品提供者を明らかにすることでユーザに安心感を与え、当選バナー１０９のクリックを促すことができる。
【００８３】
上述の実施形態において、当選判定に伴う景品として、ウェブサイトのポイントを例示したが、これに限らない。例えば、景品は、商品や金券、権利などであってもよい。
上述の実施形態において、検索サイトにおける懸賞サービス方法を説明したが、本発明は検索サイトでの実施に限定されない。本発明を適用するウェブサイトは特に制限が無く、例えば、商品などを販売するショッピングサイトなどにおいて本発明の懸賞サービス方法を実施してもよい。
【００８４】
上述の実施形態において、当選判定とログインを条件に景品としてのポイントを付与する構成を例示したが、これに限定されない。
例えば、ユーザが、ユーザ情報データベース６に記録されているユーザの情報をバナー広告１０１の広告主などに提供することに同意した場合に、ポイントを付与することとしてもよい。
この場合、例えば、広告主に当選したユーザのメールアドレスなどを提供することができ、広告主は、ユーザに広告のメールを送信するなどの営業活動を実施することができる。また、蓄積された情報を分析することにより、営業や販売活動などの活動に有効利用することができる。
なお、ユーザの情報を他者に提供するにあたっては、個人情報の保護に関する法律などの個人情報関連法令を遵守すべきことに留意する。
【００８５】
広告主にユーザ情報を提供するにあたっては、例えば、広告主に関する情報を記録した広告主データベースと、メール送信手段と、を用意する。この広告主データベースには、例えば、以下の表２に示すような情報が記録されている。
【００８６】
【表２】
0004928400.tif 000003
【００８７】
ユーザ情報提供の同意が得られた場合、メール送信手段は、抽選処理部５２から当選判定が出力されたバナー広告１０１の広告Ｎｏ（広告情報データベース７に記録されている）を受信する。次に、広告主データベースを参照して、その広告Ｎｏの広告の広告主を特定し、その広告主の連絡先にユーザ情報をメールにて送信する。
【００８８】
なお、広告主データベースは、他の目的に用いてもよい。
例えば、特定の広告主の営業地域に居住するユーザがログインした場合や、主要顧客層に属するユーザがログインした場合に、その広告主の広告を、ウェブページに優先的に表示すれば、効果的な宣伝広告を実施することができる。
【００８９】
上述の実施形態において、ログイン判定部３５が、ｃｏｏｋｉｅに記載されたユーザＩＤとユーザ情報データベース６に記録されたログイン状態とを参照してログインの有無を判断する構成を例示したが、これに限らない。
例えば、ログイン状態もまたｃｏｏｋｉｅに記録されることとしてもよい。ただし、単純にログイン状態のＯＮをｃｏｏｋｉｅに記載しただけでは、その後ずっとログインした状態が継続してしまうので、時間の経過などによりログイン状態がＯＦＦとなるように設定する必要がある。
このような場合でも、ログイン判定部３５は、ｃｏｏｋｉｅを参照してログインの有無を判定することができるから、上述の実施形態と同様の優れた作用効果を発揮することができる。
また、例えば、クライアント端末２のＩＰアドレスを参照してログインの有無を判定してもよい。
【００９０】
上述の実施形態において、ユーザのログインによって当選確率を上昇させる確率変動処理を例示したが、これに限定されない。
例えば、ウェブサイト内の特定のウェブページを閲覧すると、確率変動処理によって当選確率が上昇することとすれば、そのウェブページの閲覧を促すことができる。
また、ログインや特定ページの閲覧の有無など多数の基準を併用して、当選確率を増加または減少させることとしてもよい。
【００９１】
この場合、例えば、宣伝広告効果が望める要素に対して、当選確率を増加させるようにすれば、複数の要素の相乗効果により多大な宣伝広告効果を奏することができる。
宣伝広告効果が望める要素としては、例えば、下記のものが挙げられる。
例えば、バナー広告１０１により広告されている商品を紹介するウェブページを閲覧した場合に、当選確率が上昇することとすれば、そのウェブページにおける商品の紹介により、宣伝広告効果をさらに高めることができる。
ここで、商品を紹介するウェブページは、ウェブサイト内のウェブページであってもよく、外部のウェブページ（例えば、広告主のページなど）であってもよい。
【００９２】
また、例えば、商品に関するクイズを出題するウェブページを設け、そのクイズに正解した場合に当選確率が上昇することとすれば、ユーザに商品を紹介することになって宣伝広告効果をあげることができる。さらに、クイズによって商品の知識を得たユーザが、その知識を知人、友人などに伝えれば、さらなる宣伝広告効果をあげることができる。
なお、クイズの他に、商品に関するゲームなどを提供するウェブページを設け、ゲームの成績に応じて当選確率が上昇することとしても、同様の効果を奏することができる。
【００９３】
上述の実施形態において、バナー広告１０１が１つだけ設けられたウェブページを例示したが、これに限らない。
ウェブページには、複数のバナー広告１０１が設けられていてもよい。この場合、当選判定が出力されたときに、複数のバナー広告１０１のいずれかを当選バナー１０９に変更することとすれば、それぞれのバナー広告１０１に対してユーザの視線を誘導することができる。
また、複数のバナー広告１０１を、互いに離れた位置に配置すれば、ユーザは、当選判定の確認をするために、１つのバナー広告１０１から他のバナー広告１０１へと視線を移動させる。よって、ウェブページ内の一部分のみならず、ウェブページの全体の閲覧を促すことができる。
【００９４】
ここで、懸賞処理は、複数のバナー広告１０１のそれぞれについて実施され、抽選処理における当選確率は、複数のバナー広告１０１のそれぞれについて設定されていることとしてもよい。
これにより、重要なバナー広告１０１（例えば、ユーザの関心の高い商品に関するバナー広告１０１）に対し、優先的に、ユーザの視線を誘導することができる。
【００９５】
そして、ウェブページの下方に位置するバナー広告１０１の当選確率を、ウェブページの上方に位置するバナー広告１０１の当選確率よりも高く設定すれば、ウェブページの下方に位置し、ユーザが注目しにくいバナー広告１０１に対し、優先的に、ユーザの視線を誘導することができる。
また、図４（ｂ）に示すように、ウェブページが表示部２１の表示領域２１Ａよりも大きい場合、ウェブページの下方に位置するバナー広告１０１を確認するためには、ウェブページをスクロールする必要があるので、ウェブページの全体の閲覧を促すことができる。
この場合、ウェブページの下方に懸賞処理が実施されるバナー広告１０１がある旨の表示１１１をすれば、より確実に、ユーザの視線をウェブページの下方に誘導することができる。
【００９６】
また、例えば、小さいバナー広告１０１の当選確率を高く設定すれば、ユーザが注目しにくい小さなバナー広告１０１に対し、優先的に、ユーザの視線を誘導することができる。
逆に、大きいバナー広告１０１の当選確率を高く設定すれば、ユーザが注目しやすい大きなバナー広告１０１に、より一層ユーザの視線を集中させることができる。
【産業上の利用可能性】
【００９７】
本発明は、ネットワーク上で懸賞サービスを提供する懸賞サービス方法および懸賞サービス提供装置として利用できる。
【図面の簡単な説明】
【００９８】
【図１】本発明の実施形態にかかる懸賞サービス提供装置を含むコンピュータシステムの概略構成を示す図である。
【図２】本発明の実施形態にかかる懸賞サービス方法のフローチャートである。
【図３】本発明の実施形態にかかる懸賞サービス方法において表示される一連のウェブページを示す図である。
【図４】本発明の実施形態の変形例に係るウェブページを示す図である。
【図５】本発明の実施形態の変形例に係る当選バナーを示す図である。
【符号の説明】
【００９９】
１      コンピュータシステム
２      クライアント端末
３      サーバ（懸賞サービス提供装置）
４      インターネット
５      懸賞処理部
６      ユーザ情報データベース
７      広告情報データベース
３１      要求受信部
３２      要求判定部
３３      ページ作成部
３４      ページ送信部
３５      ログイン判定部
５１      当選確率決定部
５２      抽選処理部
５３      当選表示処理部
１０１      バナー広告（広告表示）
１０２      懸賞処理を実施する旨の表示
１０３      ユーザがウェブサイトにログインした場合に当選確率を上昇させる旨の表示
１０９      当選バナー（当選表示）
【図１】
0004928400.tif 000004
【図２】
0004928400.tif 000005
【図３】
0004928400.tif 000006
【図４】
0004928400.tif 000007
【図５】
0004928400.tif 000008